(57)【特許請求の範囲】
【請求項１】
携帯用電子機器に連結される接続端子１０ｔを持つコネクター１０と、ケーブル３０を介して前記コネクターに連結され、ソケットの端子に結合される端子ピン２０ｔが突設した充電アダプタ２０とを含んでなる充電器において、
前記コネクター１０または充電アダプタ２０のいずれか一方の対向部にはケーブルが巻き取られるケーブル巻取部２０ｗが形成され、
互いに対向する面には、端子ピンが着脱可能に挿入される端子ピン挿入ホール１０ｇと、接続端子１０ｔが結合される端子配置部２１とが形成されたことを特徴とする、携帯の容易な充電器。
【請求項２】
前記ケーブル３０はケーブル巻取部２０ｗの外周面に対応するコイル状を成すことを特徴とする、請求項１に記載の携帯の容易な充電器。
【請求項３】
充電アダプタ２０にはＵＳＢソケット２０ｓが設置され、前記ケーブル３０の一端には前記ＵＳＢソケットに着脱されるＵＳＢプラグ３０ｐが設置されたことを特徴とする、請求項１に記載の携帯の容易な充電器。
【請求項４】
前記ケーブル巻取部２０ｗは充電アダプタ２０に形成されたことを特徴とする、請求項１に記載の携帯の容易な充電器。
【請求項５】
前記端子配置部２１は溝状またはホール状に形成されたことを特徴とする、請求項１に記載の携帯の容易な充電器。
【発明の詳細な説明】
【技術分野】
【０００１】
本発明は携帯電話充電器に係り、より詳しくはケーブルを巻き取って保管することができて携帯が容易であるだけでなく、携帯電話と連結されるコネクターの接続端子と充電アダプタの端子ピンを遮って保護することができる携帯の容易な充電器に関するものである。
【背景技術】
【０００２】
通信技術の発達につれて、種々の通信手段が開発されて使われており、近年にその利用が急増しているものが移動通信端末機である。
【０００３】
このような移動通信端末機は電気によって駆動される装置で、充電可能な充電バッテリーを使っている。充電バッテリーは充電器によって繰り返し充電可能である。このような電子機器の充電は、一般的に外部電源に連結された充電器によってなされることができる。外部電源としては交流電源を使用することができ、充電器はコンバーターによって交流電源を直流に変換して電子機器を充電させることになる。
【０００４】
このような充電器には、充電バッテリーのみを分離して充電する充電器と、移動通信端末機に直接接続し、端末機に内蔵された充電バッテリーを充電する充電器とがある。端末機に直接連結する充電器に関連した技術としては特許文献１がある。
【０００５】
特許文献１は、ＴＴＡ２４ピン充電器；ＴＴＡ２４ピン充電器から入力される入力電圧よりも高い昇圧電圧を入力とする入力端子を備え、この入力端子を通じて入力される昇圧電圧を用いてバッテリーを充電する携帯端末機；ＴＴＡ２４ピン充電器のコネクターと連結される第１インターフェース部とマイクロＵＳＢ端子またはファイアワイヤ（Ｆｉｒｅ Ｗｉｒｅ）端子と連結される第２インターフェース部とを備え、第１インターフェース部を通じて入力される入力電圧を昇圧させた昇圧電圧を第２インターフェース部を通じて携帯端末機のマイクロＵＳＢ端子またはファイアワイヤ端子に出力する充電変換アダプタとを含んでなるものである。
【０００６】
このような従来の充電器は、通常に、図７に示すように、移動通信端末機の充電端子に接続する接続端子１００ｔを備えたコネクター１００と、ケーブル３００を介してコネクター１００に連結され、商用電源のコンセントに着脱可能に差し込まれるアダプダ２００とからなる。
このように構成された従来の充電器は単に移動通信端末機の充電用にだけ機能が限定され、特にコネクターやアダプダに空間が残って空間活用度が低下する欠点がある。
【０００７】
また、従来のコネクターとアダプダの間にケーブルが設置されているため、携帯の際にケーブルが他の携帯物品に巻かれるとかもつれることによって携帯が不便になるだけでなく、保管の際にケーブルが散漫であって美観を害する問題がある。
【０００８】
また、コネクターの接続端子に形成された接続孔に異物が詰まって移動通信端末機の充電端子との接続が円滑にならなるとか充電されない問題がある。
【先行技術文献】
【特許文献】
【０００９】
【特許文献１】大韓民国特許公開第２０１２−００３２３７７号公報
【発明の概要】
【発明が解決しようとする課題】
【００１０】
本発明は前記のような問題点を解決するためになされたもので、ケーブルを整理して保管及び携帯することができるだけではなく、接続端子を保護することができる携帯の容易な充電器を提供することを目的とする。
【００１１】
より詳細に、本発明は、コネクターと充電アダプタが互いに結合することができるようにし、両者の対向部にケーブルが巻き取られる巻取部を形成し、ケーブルを巻き取って保管することにより、ケーブルの整理を容易にするのはもちろんのこと、接続端子を遮って保護することにより、接続端子が外部の異物によって損傷されることを防止することができるようにした携帯の容易な充電器を提供することを他の目的とする。
【課題を解決するための手段】
【００１２】
このような目的を達成するための本発明による携帯の容易な充電器は、携帯用電子機器に連結される接続端子を持つコネクターと、ケーブルを介して前記コネクターに連結され、ソケットの端子に結合される端子ピンが突設した充電アダプタとを含んでなる充電器であって、前記コネクターまたは充電アダプタのいずれか一方の対向部にはケーブルが巻き取られるケーブル巻取部が形成され、互いに対向する面には、端子ピンが着脱可能に挿入される端子ピン挿入ホールと、接続端子が結合される端子配置部とが形成されたことを特徴とする。
【００１３】
前記ケーブルはケーブル巻取部の外周面に対向するコイル状をなして安定的に巻き取られることができる。
【発明の効果】
【００１４】
前述したように、本発明による携帯の容易な充電器は、ケーブルを巻取部に巻き取って整理することにより、美観が向上し、サイズを最小化することができて携帯しやすくする効果がある。
【図面の簡単な説明】
【００１５】
【図１】本発明による携帯の容易な充電器の一例の斜視図である。
【図２】本発明による携帯の容易な充電器の他の一例の斜視図である。
【図３】本発明による携帯の容易な充電器のさらに他の一例の斜視図である。
【図４】本発明による携帯の容易な充電器のさらに他の一例の斜視図である。
【図５】本発明による携帯の容易な充電器の携帯状態の斜視図である。
【図６】従来の充電器の一例の斜視図である。
【発明を実施するための形態】
【００１６】
本発明は多様な変更を付け加えることができ、さまざまな実施例を持つことができるが、特定の実施例を図面に例示し詳細な説明で詳細に説明しようとする。しかし、これは本発明を特定の実施形態に限定しようとするものではなく、本発明の思想及び技術範囲に含まれるすべての変更、均等物または代替物を含むものに理解されなければならない。
【００１７】
全図の説明において類似の構成要素は類似の参照符号を付けた。本発明の説明において、関連の公知技術についての具体的な説明が本発明の要旨をあいまいにすることができると判断される場合、その詳細な説明は省略する。
【００１８】
本発明による充電器は、ケーブルを巻き取って整理することにより、保管及び携帯が容易であるだけでなく接続端子を保護することができる。
【００１９】
本発明の充電器は、ケーブル３０を巻取することができるケーブル巻取部２０ｗを備えている。
【００２０】
このような本発明による充電器は、通常の充電器と同様に、携帯用電子機器、例えば移動通信端末機に接続されるコネクター１０と充電アダプタ２０をケーブル３０で連結して構成される。
【００２１】
前記ケーブル巻取部２０ｗは、図１〜図３に示すように、前記充電アダプタ２０の一側に形成されるとか、あるいは図４に示すように、コネクター１０の一側に形成されることができるが、好ましくは充電アダプタ２０の一側に形成されるものである。通常、充電アダプタ２０は、商用電源が供給されるコンセントに容易に着脱させることができるように手で握るのに十分な体積を持つことが好ましいため、コネクター１０よりは相対的に大きな体積で構成されなければならないので、前記ケーブル巻取部２０ｗを充電アダプタ２０に形成してコネクター１０のサイズを小さくするものである。
【００２２】
前記ケーブル巻取部２０ｗは、図示のように他の部分より幅及び厚さを小さく形成することで、巻き取られたたケーブル３０が突出することを防止することはもちろんのこと、ケーブルが側方に押されて離脱することを防止することができる。
【００２３】
前記コネクター１０は、図１〜図５に示すように、一側に携帯用電子機器、例えば移動通信端末機の充電端子に結合される接続端子１０ｔが露出されており、ケーブル３０が連結されている。前記コネクター１０は、図示のように、前記充電アダプタ２０と同一ないし類似の断面積を持つように製作される。
【００２４】
また、前記コネクター１０の接続端子１０ｔが突出した面には、前記充電アダプタ２０から突出した端子ピン２０ｔが挿入される端子ピン挿入ホール１０ｇが形成されることで、充電アダプタ２０とコネクター１０を互いに結合したとき、端子ピンが隠されることができるようにした。前記端子ピン挿入ホール１０ｇは内径が前記端子ピン２０ｔの外径と同一になることで、端子ピン２０ｔが挿入されたとき、外部から作用する力がなくては分離されないようにした。
【００２５】
図１〜図３に示すように、前記充電アダプタ２０のハウジングにはケーブル巻取部２０ｗが形成される。これは他の部分より深く形成されることにより、巻き取られるケーブル３０が巻取部から離脱しないようにすることが好ましい。
【００２６】
また、前記充電アダプタ２０には、コネクターの接続端子１０ｔが配置される端子配置部２１が形成されている。
【００２７】
前記端子配置部２１は、図１及び図２に示すように、充電アダプタの表面に溝状に形成されるとか、図３に示すように、充電アダプタ２０の中央にホールの形状に形成されることができる。もちろん、この端子配置部２１に結合される接続端子１０ｔはコネクター１０と充電アダプタ２０を図５に示すように結合したときに端子配置部２１に対向する部分に形成されなければならないし、断面積が接続端子の断面積より広く形状されることで、接続端子１０ｔが円滑に出入することができるようにすることが好ましい。
【００２８】
本発明による充電器は前述したようにケーブルを容易に整理することができるようにするためのもので、ケーブル巻取部２０ｗにケーブルが容易に巻き取られ、巻き取られたケーブルがケーブル巻取部２０ｗに密着して外方に離脱しないように、前記ケーブル３０はケーブル巻取部２０ｗの外周面に対向する形状に螺旋形に巻き取られたコイル状を成すことが好ましい。
【００２９】
また、携帯用電子機器、例えば移動通信端末機はコンピュータのＵＳＢポートを用いて充電するように構成されている。この際には充電アダプタ２０が不要になる。
【００３０】
これにより、前記充電アダプタ２０にはＵＳＢソケット２０ｓが設置され、前記ケーブル３０の一端には前記ＵＳＢソケットに着脱されるＵＳＢプラグ３０ｐが設置されることにより、必要な場合にだけ充電アダプタ２０を連結することができる。
【００３１】
以上のように、本発明は具体的な構成素子及び特定の事項に限定された実施例の図面に基づいて説明されたが、これは本発明のより全般的な理解に役立てるために提供したものであるだけ、本発明は前記の一実施例に限定されるものではなく、本発明が属する分野で通常の知識を持った者であればこのような記載から多様な修正及び変形が可能である。
【００３２】
したがって、本発明の思想は前述した実施例に限って決定されてはいけなく、後述する特許請求範囲だけではなく、この特許請求範囲と同等ないし等価の変形があるすべてのものなどは本発明思想の範疇に属するものであると言える。
【産業上の利用可能性】
【００３３】
以上では説明の便宜上携帯電話充電器を例として説明したが、本発明はいずれの携帯用電子機器にも汎用的に適用することができるのはいうまでもない。
【符号の説明】
【００３４】
１０    コネクター
１０ｇ    端子ピン挿入ホール
１０ｔ    接続端子
２０    充電アダプダ
２０ｔ    端子ピン
２０ｓ    ＵＳＢソケット
２０ｗ    ケーブル巻取部
２１    端子配置部
３０    ケーブル
３０ｐ    ＵＳＢプラグ
【図１】
0005912210.tif 000002
【図２】
0005912210.tif 000003
【図３】
0005912210.tif 000004
【図４】
0005912210.tif 000005
【図５】
0005912210.tif 000006
【図６】
0005912210.tif 000007